(57)【要約】【課題】  指針による受光面積の減少を複数のソーラーセルで分散して、出力電流を向上させることができるソーラーパネルおよび時計を提供する。【解決手段】  中央部の貫通孔３ａに挿入された指針軸６に取り付けられた指針７が上方を運針するソーラーパネル３において、ほぼ円形状に配列された複数のソーラーセル１１〜１６を有し、これら複数のソーラーセル１１〜１６は、指針７が複数のソーラーセル１１〜１６の２つに重なるほぼ渦巻き形状に分割されて形成されている。従って、指針７を常に複数のソーラーセル１１〜１６の２つに跨って重ねることができるので、指針７による受光面積の減少を２つのソーラーセル１１〜１６で分散でき、これにより指針７が重なる複数のソーラーセル１１〜１６の出力電流の減少を抑えて、複数のソーラーセル１１〜１６全体の出力電流を向上させることができる。【選択図】        図３
2014169916.tif 000002
【特許請求の範囲】
【請求項１】
ほぼ円形状に形成され、その中央部に設けられた貫通孔に指針軸が挿入され、この指針軸に取り付けられた指針が上方を運針するソーラーパネルにおいて、
ほぼ円形状に配列された複数のソーラーセルを有し、これら複数のソーラーセルは、その上方を運針する前記指針が、前記複数のソーラーセルのうち少なくとも２つ以上に、常に重なるほぼ渦巻き形状に分割されて形成されていることを特徴とするソーラーパネル。
【請求項２】
請求項１に記載のソーラーパネルにおいて、前記複数のソーラーセルは、それぞれ同じ形状で、かつ同じ大きさの面積で均等に分割されていることを特徴とするソーラーパネル。
【請求項３】
請求項１または請求項２に記載のソーラーパネルにおいて、前記複数のソーラーセルは、前記指針が前記複数のソーラーセルの２つ以上に跨って重なる各面積が、それぞれほぼ同じ大きさの面積になる形状に形成されていることを特徴とするソーラーパネル。
【請求項４】
請求項１〜請求項３のいずれかに記載のソーラーパネルにおいて、前記複数のソーラーセルは、前記ソーラーパネルの前記貫通孔側から前記ソーラーパネルの外周側に向けて曲率半径が、次第に大きくなる曲線状の渦巻き形状に形成されていることを特徴とするソーラーパネル。
【請求項５】
請求項１〜請求項３のいずれかに記載のソーラーパネルにおいて、前記複数のソーラーセルは、それぞれ複数に分割された各領域が、円周方向と半径方向とに順次位置をずらした階段状の渦巻き形状に形成されていることを特徴とするソーラーパネル。
【請求項６】
請求項１〜請求項５のいずれかに記載のソーラーパネルにおいて、前記複数のソーラーセルは、その円周方向の長さが前記貫通孔を中心とする半径方向に向けて次第に長くなる形状に形成されていることを特徴とするソーラーパネル。
【請求項７】
請求項１〜請求項６のいずれかに記載のソーラーパネルにおいて、前記複数のソーラーセルは、前記貫通孔の周辺部において、各接続部によって直列に接続されていることを特徴とするソーラーパネル。
【請求項８】
請求項１〜請求項７のいずれかに記載のソーラーパネルを備えていることを特徴とする時計。
【発明の詳細な説明】
【技術分野】
【０００１】
この発明は、腕時計などの指針式の時計、あるいはメータなどの指針式の計器類に用いられるソーラーパネルおよびそれを備えた時計に関する。
【背景技術】
【０００２】
例えば、腕時計に用いられているソーラーパネルは、特許文献１に記載されているように、複数のソーラーセルをそれぞれ均等な面積の扇状に形成し、これら複数のソーラーセルを円形状に配列して直列に接続した構成のものが知られている。
【先行技術文献】
【特許文献】
【０００３】
【特許文献１】特開平１０−３９０５７号公報
【０００４】
このようなソーラーパネルは、その中心に貫通孔が設けられ、この貫通孔に指針軸が挿入されて上方に突出し、この突出した指針軸の上端部に指針が取り付けられ、この指針が複数のソーラーセルの上方を運針するように構成されている。
【発明の概要】
【発明が解決しようとする課題】
【０００５】
このようなソーラーパネルでは、複数のソーラーセル全体で得られる出力電流が、ダイオードなどの電気的な特性によって、複数のソーラーセルのうち、最も出力電流の小さいものと同じ値になる。このため、複数のソーラーセルのいずれかに指針が重なると、この指針が重なったソーラーセルの受光面積が他のソーラーセルの受光面積よりも小さくなる。
【０００６】
このため、このソーラーパネルでは、指針が重なったソーラーセルの出力電流が他のソーラーセルの出力電流よりも小さくなり、複数のソーラーセル全体で得られる出力電流が、最も小さいソーラーセルの出力電流と同じ値になるため、複数のソーラーセル全体の出力電流の損失が大きいという問題がある。
【０００７】
この発明が解決しようとする課題は、指針による受光面積の減少を複数のソーラーセルで分散して、出力電流を向上させることができるソーラーパネルおよび時計を提供することである。
【課題を解決するための手段】
【０００８】
この発明は、ほぼ円形状に形成され、その中央部に設けられた貫通孔に指針軸が挿入され、この指針軸に取り付けられた指針が上方を運針するソーラーパネルにおいて、ほぼ円形状に配列された複数のソーラーセルを有し、これら複数のソーラーセルは、その上方を運針する前記指針が、前記複数のソーラーセルのうち少なくとも２つ以上に、常に重なるほぼ渦巻き形状に分割されて形成されていることを特徴とするソーラーパネルである。
【発明の効果】
【０００９】
この発明によれば、複数のソーラーセルの上方を運針する指針を、複数のソーラーセルのうち、少なくとも２つ以上のソーラーセルに跨った状態で、常に重ねることができるので、指針による受光面積の減少を２つ以上のソーラーセルで分散することができ、これにより指針が重なるソーラーセルの出力電流の減少を抑えることができ、複数のソーラーセル全体の出力電流を向上させることができる。
【図面の簡単な説明】
【００１０】
【図１】この発明を指針式の腕時計に適用した第１実施形態における時計モジュールを示した拡大断面図である。
【図２】図１に示された時計モジュールの指針を示し、（ａ）は秒針を示した拡大正面図、（ｂ）は分針を示した拡大正面図、（ｃ）は時針を示した拡大正面図である。
【図３】図１に示された時計モジュールのソーラーパネルを示した拡大正面図である。
【図４】図３に示されたソーラーパネルの接続部のＡ−Ａ矢視における拡大断面図である。
【図５】図３に示された第１実施形態のソーラーパネルの変形例を示した拡大正面図である。
【図６】この発明を指針式の腕時計に適用した第２実施形態におけるソーラーパネルを示した拡大正面図である。
【図７】図６に示された第２実施形態のソーラーパネルの変形例を示した拡大正面図である。
【図８】この発明を指針式の腕時計に適用した第３実施形態におけるソーラーパネルを示した拡大正面図である。
【図９】この発明を指針式の腕時計に適用した第４実施形態におけるソーラーパネルを示した拡大正面図である。
【図１０】図９に示された第４実施形態のソーラーパネルの変形例を示した拡大正面図である。
【発明を実施するための形態】
【００１１】
（第１実施形態）
以下、図１〜図４を参照して、この発明を指針式の腕時計に適用した第１実施形態について説明する。
この指針式の腕時計は、図１に示すように、時計モジュール１を備えている。この時計モジュール１は、腕時計ケース（図示せず）内に配置されるものであり、ハウジング２を有している。
【００１２】
このハウジング２の上面には、図１に示すように、ソーラーパネル３が配置されており、このソーラーパネル３の上面には、文字板４が配置されている。また、ハウジング２の内部には、時計ムーブメント５が設けられている。この時計ムーブメント５は、指針軸６を回転させることにより、時針７ａ、分針７ｂ、秒針７ｃなどの指針７を運針させるように構成されている。
【００１３】
この場合、文字板４は、透明または半透明のフィルムからなり、ほぼ円形状に形成されている。この文字板４の上面における周縁部には、時字（図示せず）が所定間隔で設けられている。指針軸６は、図１に示すように、筒状の時針軸６ａと、この時針軸６ａ内に回転可能に配置された円筒状の分針軸６ｂと、この分針軸６ｂ内に回転可能に配置された秒針軸６ｃとを有し、ソーラーパネル３の中央部に設けられた貫通孔３ａと、文字板４の中央部に設けられた貫通孔４ａとを通して、文字板４の上方に突出するように構成されている。
【００１４】
また、指針７は、図１および図２に示すように、指針軸６の上端部にそれぞれ取り付けられている。すなわち、時針７ａは時針軸６ａの上端部に取り付けられており、分針７ｂは分針軸６ｂの上端部に取り付けられており、さらに秒針７ｃは秒針軸６ｃの上端部に取り付けられている。これにより、時計ムーブメント５は、時針軸６ａ、分針軸６ｂ、秒針軸６ｃなどの指針軸６を回転させて、時針７ａ、分針７ｂ、秒針７ｃなどの指針７を文字板４の上方で運針させるように構成されている。
【００１５】
この場合、時針７ａ、分針７ｂ、秒針７ｃのうち、分針７ｂは、図２に示すように、時針７ａおよび秒針７ｃに比べて、表面積が最も大きく形成されている。これにより、分針７ｂは、ソーラ―パネル３に照射される外部光を遮る面積が、時針７ａおよび秒針７ｃよりも大きく、ソーラーパネル３の受光面積に対する影響が最も大きい。このため、以下の説明では、分針７ｂについて説明する。
【００１６】
ところで、ソーラーパネル３は、図１および図３に示すように、文字板４とほぼ同じ大きさの円形状に形成されている。このソーラーパネル３は、複数のソーラーセル１１〜１６を備えている。これら複数のソーラーセル１１〜１６は、図３および図４に示すように、フィルム基板１０の上面に貫通孔３ａを中心とする円形状に配列されている。
【００１７】
この場合、複数のソーラーセル１１〜１６それぞれは、図４に示すように、フィルム基板１０上にアルミニウムなどの金属からなる下部電極１７がパターン形成され、この下部電極１７上にアモルファスシリコン（ａ−Ｓｉ）などの半導体層からなる発電層１８がパターン形成され、この発電層１８上にＩＴＯ（Indium  Tin  Oxide）などの透明な上部電極１９がパターン形成され、この上部電極１９が絶縁性を有する透明な合成樹脂からなる保護膜２０によって覆われた構成になっている。
【００１８】
これにより、複数のソーラーセル１１〜１６は、図１および図４に示すように、それぞれ外部光が文字板４を透過して照射されると、この照射された光が透明な上部電極１９を通して発電層１８に照射され、この照射された光によって発電層１８が起電力を発生するように構成されている。
【００１９】
また、これら複数のソーラーセル１１〜１６は、図３に示すように、それぞれ同じ形状で同じ面積になるように、ソーラーパネル３に対応する円形を６等分した構成になっている。この場合、複数のソーラーセル１１〜１６は、その上方を運針する分針７ｂが、複数のソーラーセル１１〜１６のうち、互いに隣接する２つのソーラーセル１１〜１６に跨った状態で、常に重なるほぼ渦巻き形状に分割形成されている。
【００２０】
また、これら複数のソーラーセル１１〜１６は、図３に示すように、分針７ｂが複数のソーラーセル１１〜１６のうち、互いに隣接する２つのソーラーセル１１〜１６に跨って重なる各面積が、ほぼ同じ面積になる渦巻き形状に形成されている。また、複数のソーラーセル１１〜１６は、その円周方向の長さが貫通孔３ａを中心とする半径方向に向けて次第に長くなる形状に形成されている。
【００２１】
この場合、複数のソーラーセル１１〜１６は、図３に示すように、それぞれソーラーパネル３の外周側に位置する外周領域Ｅ１と、ソーラーパネル３の貫通孔３ａ側に位置する内周領域Ｅ２とを有し、これらが互いに円周方向に位置をずらした状態で連結部Ｅ３によって連結された構成になっている。
【００２２】
すなわち、外周領域Ｅ１と内周領域Ｅ２とは、図３に示すように、その各面積がそれぞれ異なる大きさのほぼ扇状に形成され、外周領域Ｅ１が内周領域Ｅ２に対して時計回り方向に位置をずらした状態で設けられている。これにより、複数のソーラーセル１１〜１６は、それぞれ内周領域Ｅ２が反時計回り方向に位置する外周領域Ｅ１の内周側（つまり中央部の貫通孔３ａ側）に食い込む形状に形成されている。
【００２３】
この場合、複数のソーラーセル１１〜１６のうち、例えば２つのソーラーセル１１、１２は、図３に示すように、一方のソーラーセル１１の外周領域Ｅ１における時計回り方向に位置する辺部（図３では右側の辺部）と、他方のソーラーセル１２の内周領域Ｅ２における反時計回り方向に位置する辺部（図３では左側の辺部）とが、貫通孔３ａを中心とする放射方向の同一直線上において、連結部Ｅ３の接続幅だけ円周方向に位置が僅かにずれて形成されている。
【００２４】
また、外周領域Ｅ１と内周領域Ｅ２とは、図３に示すように、分針７ｂが互いに隣接する２つのソーラーセル１１、１２に跨って重なった際に、一方のソーラーセル１１の外周領域Ｅ１に分針７ｂが重なる面積と、他方のソーラーセル１２の内周領域Ｅ２に分針７ｂが重なる面積とが、ほぼ同じ大きさになるように、その半径方向の長さが分針７ｂの形状に応じて異なった長さで形成されている。
【００２５】
例えば、外周領域Ｅ１と内周領域Ｅ２とは、図３に示すように、外周領域Ｅ１の半径方向の長さが、内周領域Ｅ２の半径方向の長さよりも長く形成されている。これにより、外周領域Ｅ１と内周領域Ｅ２とは、分針７ｂが互いに隣接する２つのソーラーセル１１、１２に跨って重なる２つの面積が、外周領域Ｅ１と内周領域Ｅ２とでほぼ同じ大きさになるように構成されている。
【００２６】
このように、複数のソーラーセル１１〜１６は、図３に示すように、分針７ｂが跨って重なる２つのソーラーセル１１、１２に限らず、他のソーラーセル１２〜１６も、上述した形状と同様に形成されている。また、外周領域Ｅ１と内周領域Ｅ２とを連結する連結部Ｅ３は、電気抵抗値を下げるために、十分な接続幅（例えば１ｍｍ以上の幅）をもって形成されていることが望ましい。
【００２７】
また、複数のソーラーセル１１〜１６は、図３および図４に示すように、ソーラーパネル３の中央部に設けられた貫通孔３ａの縁部において、複数の接続部２１によって順次直列に接続されている。すなわち、これら複数の接続部２１は、それぞれ導電ペーストからなり、互いに隣接する一方のソーラーセル１１〜１５の各下部電極１７と、これに隣接する他方のソーラーセル１２〜１６の各上部電極１９とを、それぞれ電気的に接続するように構成されている。
【００２８】
この場合、複数のソーラーセル１１〜１６のうち、最終端に位置する２つのソーラーセル１１、１６は、接続部２１によって接続されていない。このため、一方のソーラーセル１１の上部電極１９と他方のソーラーセル１６の下部電極１７とは、一対の出力電極（図示せず）にそれぞれ接続されている。これにより、ソーラーパネル３は、発電した電力を時計モジュール１の充電池（図示せず）に供給するように構成されている。
【００２９】
次に、このような指針式の腕時計の作用について説明する。
通常は、時計ムーブメント５に電力が供給されていることにより、時計ムーブメントが動作して指針軸６を回転させ、この指針軸６の回転によって時針７ａ、分針７ｂ、秒針７ｃなどの指針７が文字板４の上方を運針して、時刻を指示する。
【００３０】
このときには、太陽光などの外部光が文字板４に照射され、この照射された外部光が文字板４を透過してソーラーパネル３の複数のソーラーセル１１〜１６にそれぞれ照射される。すると、照射された外部光は、各ソーラーセル１１〜１６の透明な保護膜２０および透明な上部電極１９をそれぞれ透過して、各発電層１８に照射され、この照射された光によって各発電層１８がそれぞれ発電する。
【００３１】
すなわち、複数のソーラーセル１１〜１６の各発電層１８は、外部光が照射されると、その照射量に応じてそれぞれ起電力を発生する。この発生した起電力は、各ソーラーセル１１〜１６が各接続部２１によって直列に接続されていることにより、最終端の各ソーラーセル１１、１６の各出力電極（図示せず）から時計モジュール１の充電池（図示せず）に送られて充電される。
【００３２】
このように、ソーラーパネル３が発電する際には、図３に示すように、文字板４の上方を運針する指針７によってソーラーパネル３に照射される外部光の一部が遮られるので、複数のソーラーセル１１〜１６のうち、指針７の分針７ｂが重なる２つのソーラーセル１１〜１６の受光量が低下する。
【００３３】
この場合、図３に示すように、複数のソーラーセル１１〜１６のうち、例えば分針７ｂが互いに隣接する２つのソーラーセル１１、１２に跨って重なった際には、一方のソーラーセル１１の外周領域Ｅ１に分針７ｂが重なった面積と、他方のソーラーセル１２の内周領域Ｅ２に分針７ｂが重なった面積とが、ほぼ同じなる。
【００３４】
このため、分針７ｂが２つのソーラーセル１１、１２に跨って重なっても、その両方の受光面積がほぼ同じになり、分針７ｂによって遮られる面積が２つのソーラーセル１１、１２でほぼ均等に分散される。これにより、分針７ｂが複数のソーラーセル１１〜１６のいずれか１つのみに重なる場合に比べて、ソーラーパネル３全体で出力される電流値が高められる。
【００３５】
例えば、分針７ｂの長手方向における半分の平均面積が、約５．８５ｍｍ２で、各ソーラーセル１１〜１６の各面積が、それぞれ約１１１．９５ｍｍ２である場合、分針７ｂが２つのソーラーセル１１、１２に跨って重なった際の各ソーラーセル１１、１２の受光面積は、約１０６．１１ｍｍ２となる。
【００３６】
このため、分針７ｂが重なった２つのソーラーセル１１、１２の各受光面積は、分針７ｂが各ソーラーセル１１〜１６の１つのみに重なったと仮定した際のソーラーセル１１〜１６の１つの受光面積が約９５．２６ｍｍ２である場合に比べて、５．１％程度大きくなる。これにより、複数のソーラーセル１１〜１６全体の出力電流は、５．１％程度高められることになる。
【００３７】
このように、この指針式の腕時計によれば、中央部の貫通孔３ａに挿入された指針軸６に取り付けられた指針７が上方を運針するソーラーパネル３が、ほぼ円形状に配列された複数のソーラーセル１１〜１６を有し、これら複数のソーラーセル１１〜１６は、時針７の分針７ｂが、複数のソーラーセル１１〜１６の２つに跨って、常に重なるほぼ渦巻き形状に分割されて形成されているので、分針７ｂによる受光面積の減少を複数のソーラーセル１１〜１６の２つで分散して、複数のソーラーセル１１〜１６全体の出力電流を向上させることができる。
【００３８】
すなわち、このソーラーパネル３では、その上方を運針する指針７の分針７ｂを、複数のソーラーセル１１〜１６のうちの２つに跨った状態で、常に重ねることができるので、分針７ｂによる受光面積の減少を複数のソーラーセル１１〜１６のうち２つで分散することができ、これにより分針７ｂが重なる２つのソーラーセル１１〜１６の出力電流の減少を抑えることができるので、複数のソーラーセル１１〜１６全体の出力電流を向上させることができる。
【００３９】
この場合、複数のソーラーセル１１〜１６は、それぞれ同じ形状で、かつ同じ大きさの面積で均等に分割されていることにより、指針７の分針７ｂが重なる２つのソーラーセル１１〜１６の各受光面積を常に一定に保つことができ、これにより分針７ｂの運針に伴って複数のソーラーセル１１〜１６全体の出力電流の変動を抑えることができるので、複数のソーラーセル１１〜１６全体の出力電流をほぼ一定に保つことができる。
【００４０】
また、複数のソーラーセル１１〜１６は、指針７の分針７ｂが複数のソーラーセル１１〜１６の２つに跨って重なる各面積が、ほぼ同じ面積になる形状に形成されていることにより、分針７ｂが重なる２つのソーラーセル１１〜１６の受光面積を同じ面積で分散させることができ、これにより分針７ｂが重なる２つのソーラーセル１１〜１６の出力電流の減少を効率良く均等に抑えることができるので、複数のソーラーセル１１〜１６全体の出力電流を確実に向上させることができる。
【００４１】
また、複数のソーラーセル１１〜１６は、それぞれ外周側領域Ｅ１と内周側領域Ｅ２とを有し、内周側領域Ｅ２がこれに隣接する他の外周側領域Ｅ１の内周側に食い込むほぼ渦巻き形状に形成されていることにより、複数のソーラーセル１１〜１６の上方を運針する指針７の分針７ｂを、常に複数のソーラーセル１１〜１６のうちの互いに隣接する２つに跨った状態で、確実にかつ良好に重ねることができる。
【００４２】
この場合、複数のソーラーセル１１〜１６は、その円周方向の長さがソーラーパネル３の貫通孔３ａを中心とする半径方向に向けて次第に長くなる形状に形成されていることにより、外周側領域Ｅ１の面積を内周側領域Ｅ２の面積よりも十分に大きくすることができ、これにより複数のソーラーセル１１〜１６のうち、分針７ｂが重なることによって遮光される面積を、最小限に抑えることができるので、これによっても複数のソーラーセル１１〜１６全体の出力電流を向上させることができる。
【００４３】
さらに、複数のソーラーセル１１〜１６は、ソーラーパネル３の中央部に設けられた貫通孔３ａの周辺部において、各接続部２１によって直列に接続されているので、指針７の影響を受け難くして、複数のソーラーセル１１〜１６の各受光面積を広く確保することができる。すなわち、ソーラーパネル３の貫通孔３ａの周辺部は、指針７によって遮光される時間が長く、発電効率が悪い。このため、この貫通孔３ａの周辺部に各接続部２１を設けることにより、指針７の運針に伴う受光面積の変化による発電のロスを軽減することができるので、発電効率を高めることができる。
【００４４】
なお、上述した第１実施形態では、複数のソーラーセル１１〜１６の外周側領域Ｅ１と内周側領域Ｅ２とが、連結部Ｅ３によってくびれた状態で、連結されたほぼ渦巻き形状に形成されている場合について述べたが、これに限らず、例えば図５に示す変形例のように、複数のソーラーセル２３〜２８を滑らかな曲線の渦巻き形状に形成しても良い。すなわち、複数のソーラーセル２３〜２８を、その曲率半径がソーラーパネル３の貫通孔３ａ側からソーラーパネル３の外周側に向けて次第に大きくなる渦巻き形状に形成すれば良い。
【００４５】
この場合にも、複数のソーラーセル２３〜２８は、図５に示すように、指針７の分針７ｂが互いに隣接する２つのソーラーセル２３〜２８に跨って重なる各面積が、ほぼ同じ面積になる渦巻き形状に形成されていれば良い。また、これら複数のソーラーセル２３〜２８は、その円周方向の長さが貫通孔３ａを中心とする半径方向に向けて次第に長くなる形状に形成されていれば良い。このように構成されたソーラーパネル３においても、第１実施形態と同様の作用効果がある。
【００４６】
（第２実施形態）
次に、図６を参照して、この発明を指針式の腕時計に適用した第２実施形態について説明する。なお、図１〜図４に示された第１実施形態と同一部分には同一符号を付して説明する。
この指針式の腕時計は、図６に示すように、ソーラーパネル３０の複数のソーラーセル３１〜３６が第１実施形態と異なる構成であり、これ以外は第１実施形態と同じ構成になっている。
【００４７】
これら複数のソーラーセル３１〜３６は、図６に示すように、それぞれ同じ形状で同じ面積になるように、ソーラーパネル３０に対応する円形を６等分した構成になっている。この場合、複数のソーラーセル３１〜３６は、指針７の分針７ｂが、複数のソーラーセル３１〜３６のうち、順次隣接する４つに跨った状態で、常に重なる渦巻き形状に分割されて形成されている。
【００４８】
また、これら複数のソーラーセル３１〜３６は、図６に示すように、分針７ｂが順次隣接する４つのソーラーセル３１〜３６に跨って重なる４つの各面積が、ほぼ同じ面積になる渦巻き形状に形成されている。また、これら複数のソーラーセル３１〜３６は、その円周方向の長さがソーラーパネル３０の貫通孔３ａを中心とする半径方向に向けて次第に長くなる形状に形成されている。
【００４９】
この場合、複数のソーラーセル３１〜３６は、図６に示すように、ソーラーパネル３０の外周側に位置する第１領域Ｆ１と、この第１領域Ｆ１よりも内周側に位置する第２領域Ｆ２と、この第２領域Ｆ２よりも内周側に位置する第３領域Ｆ３と、この第３領域Ｆ３よりも内周側に位置する第４領域Ｆ４とを有し、これらが円周方向に沿って順次位置をずらした状態で、各連結部Ｆ５によって順次連結された構成になっている。
【００５０】
これら第１〜第４の各領域Ｆ１〜Ｆ４は、図６に示すように、それぞれ大きさが分針７ｂの形状に応じて異なる形状に形成されていると共に、それぞれ時計回り方向に順次位置がずれて形成されている。これにより、第１〜第４の各領域Ｆ１〜Ｆ４は、これらを組み合わせた全体の形状が６０度の開き角度の扇状をなすように構成されている。
【００５１】
すなわち、複数のソーラーセル３１〜３６は、図６に示すように、最外周に位置する第１領域Ｆ１を基準にして、第２領域Ｆ２が反時計回り方向に位置する第１領域Ｆ１の内周側に食い込み、この第２領域Ｆ２に連続する第３領域Ｆ３が反時計回り方向に位置する第２領域Ｆ２の内周側に食い込み、更にこの第３領域Ｆ３に連続する第４領域Ｆ４が反時計回り方向に位置する第３領域Ｆ３の内周側に食い込む形状に形成されている。
【００５２】
この場合、複数のソーラーセル３１〜３６のうち、例えば２つのソーラーセル３１、３２は、図６に示すように、一方のソーラーセル３１の第１領域Ｆ１における反時計回り方向に位置する辺部（図６では左側の辺部）と、他方のソーラーセル３２の第２領域Ｆ２における反時計回り方向に位置する辺部（図６では左側の辺部）との間に、第１領域Ｆ１と第２領域Ｆ２とを連結する連結部Ｆ５が設けられている。
【００５３】
また、複数のソーラーセル３１〜３６のうち、例えば２つのソーラーセル３１、３２は、図６に示すように、一方のソーラーセル３１の第２領域Ｆ２における反時計回り方向に位置する辺部（図６では左側の辺部）と、他方のソーラーセル３２の第３領域Ｆ３における反時計回り方向に位置する辺部（図６では左側の辺部）との間に、第２領域Ｆ２と第３領域Ｆ３とを連結する連結部Ｆ５が設けられている。
【００５４】
同様に、複数のソーラーセル３１〜３６のうち、例えば２つのソーラーセル３１、３２は、図６に示すように、一方のソーラーセル３１の第３領域Ｆ３における反時計回り方向に位置する辺部（図６では左側の辺部）と、他方のソーラーセル３２の第４領域Ｆ４における反時計回り方向に位置する辺部（図６では左側の辺部）との間に、第３領域Ｆ３と第４領域Ｆ４とを連結する連結部Ｆ５が設けられている。
【００５５】
この場合、複数のソーラーセル３１〜３６は、図６に示すように、ソーラーセル３１、３２に限らず、他のソーラーセル３２〜３６の第１〜第４の各領域Ｆ１〜Ｆ４および連結部Ｆ５も、ソーラーセル３１、３２の第１〜第４の各領域Ｆ１〜Ｆ４および連結部Ｆ５と同様に形成されている。
【００５６】
また、第１〜第４の各領域Ｆ１〜Ｆ４は、図６に示すように、分針７ｂが順次隣接する４つのソーラーセル３１〜３４に跨って重なった際に、その分針７ｂが重なった各ソーラーセル３１〜３４の第１〜第４の各領域Ｆ１〜Ｆ４の各面積が、ほぼ同じ大きさになるように、その半径方向の長さがそれぞれ異なった長さで形成されている。
【００５７】
すなわち、第１〜第４の各領域Ｆ１〜Ｆ４は、図６に示すように、ソーラーパネル３０の外周側から中央部の貫通孔３ａに向かうに従って、半径方向の長さが次第に短くなるように形成されている。これにより、第１〜第４の各領域Ｆ１〜Ｆ４は、分針７ｂが順次隣接する４つのソーラーセル３１〜３４に跨って重なる各面積が、第１〜第４の各領域Ｆ１〜Ｆ４でほぼ同じ大きさになるように構成されている。
【００５８】
この場合、複数のソーラーセル３１〜３６は、図６に示すように、分針７ｂが跨って重なる４つのソーラーセル３１〜３４に限らず、他のソーラーセル３３〜３６も、上述した形状と同様に形成されている。また、第１〜第４の各領域Ｆ１〜Ｆ４をそれぞれ連結する連結部Ｆ５は、第１実施形態と同様、電気抵抗値を下げるために、十分な接続幅（例えば１ｍｍ以上の幅）をもって形成されていることが望ましい。
【００５９】
これにより、複数のソーラーセル３１〜３６は、図６に示すように、例えば分針７ｂの長手方向における１／４ずつの各平均面積が、約２．８０ｍｍ２で、複数のソーラーセル３１〜３６の各面積が、それぞれ約１１０．１７ｍｍ２である場合、分針７ｂが４つのソーラーセル３１〜３４に跨って重なった際の各ソーラーセル３１〜３４の受光面積は、約１０７．３７ｍｍ２となる。
【００６０】
このため、分針７ｂが重なった４つのソーラーセル３１〜３４の各受光面積は、分針７ｂが各ソーラーセル３１〜３６の１つのみに重なったと仮定した際のソーラーセル３１〜３６の１つの受光面積が約９６．１７ｍｍ２である場合に比べて、６．３％程度大きくなる。これにより、複数のソーラーセル３１〜３６全体の出力電流は、６．３％程度高められることになる。
【００６１】
このように、この腕時計のソーラーパネル３０によれば、その上方を運針する指針７の分針７ｂを、複数のソーラーセル３１〜３６の４つに跨った状態で、常に重ねることができるので、分針７ｂによる受光面積の減少を複数のソーラーセル３１〜３６の４つで分散することができ、これにより分針７ｂが重なる４つのソーラーセル３１〜３６の出力電流の減少を、第１実施形態の場合よりも、抑えることができるので、複数のソーラーセル３１〜３６全体の出力電流を第１実施形態よりも大幅に向上させることができる。
【００６２】
この場合にも、複数のソーラーセル３１〜３６は、それぞれ同じ形状で、かつ同じ大きさの面積で均等に分割されていることにより、分針７ｂが重なる４つのソーラーセル３１〜３６の各受光面積をほぼ一定に保つことができ、これにより分針７ｂの運針に伴って複数のソーラーセル３１〜３６全体の出力電流の変動を抑えることができるので、複数のソーラーセル３１〜３６全体の出力電流をほぼ一定に保つことができる。
【００６３】
また、複数のソーラーセル３１〜３６は、指針７の分針７ｂが複数のソーラーセル３１〜３６のうち、４つに重なる面積が、ほぼ同じ面積になる形状に形成されていることにより、複数のソーラーセル３１〜３６のうち、分針７ｂが重なる４つの受光面積をほぼ同じ面積することができ、これにより分針７ｂが重なる４つのソーラーセル３１〜３６の出力電流の減少を、効率良く均等に抑えることができるので、第１実施形態よりも、複数のソーラーセル３１〜３６全体の出力電流を向上させることができる。
【００６４】
また、複数のソーラーセル３１〜３６は、それぞれ外周側から中央部の貫通孔３ａに向けて第１〜第４の各領域Ｆ１〜Ｆ４を有し、第２領域Ｆ２がこれに隣接する他の外周側の第１領域Ｆ１の内周側に食い込み、第３領域Ｆ３がこれに隣接する他の第２領域Ｆ２の内周側に食い込み、第４領域Ｆ４がこれに隣接する他の第３領域Ｆ３の内周側に食い込む渦巻き形状に形成されていることにより、ソーラーパネル３０の上方を運針する指針７の分針７ｂを、常に複数のソーラーセル３１〜３６のうちの４つに跨った状態で、確実にかつ良好に重ねることができる。
【００６５】
この場合にも、複数のソーラーセル３１〜３６は、その円周方向の長さがソーラーパネル３０の貫通孔３ａを中心とする半径方向に向けて次第に長くなる形状に形成されていることにより、外周側に位置する第１〜第３の各領域Ｆ１〜Ｆ３の各面積を、内周側に位置する第２〜第４の各領域Ｆ２〜Ｆ４の各面積よりも段階的に大きくすることができ、これにより複数のソーラーセル３１〜３６のうち、分針７ｂが重なることによって遮光される面積を、最小限に抑えることができ、これによっても複数のソーラーセル３１〜３６全体の出力電流を向上させることができる。
【００６６】
なお、上述した第２実施形態では、複数のソーラーセル３１〜３６における第１〜第４の各領域Ｆ１〜Ｆ４が各連結部Ｆ５によって、くびれた状態で連結された渦巻き形状に形成されている場合について述べたが、これに限らず、例えば図７に示す変形例のように、第１〜第４の各領域Ｆ１〜Ｆ４を滑らかに折れ曲がる渦巻き形状に形成しても良い。すなわち、複数のソーラーセル３１〜３６を、その折れ曲がり角度がソーラーパネル３０の貫通孔３ａからソーラーパネル３０の外周側に向けて次第に小さくなる渦巻き形状に形成すれば良い。
【００６７】
この場合にも、複数のソーラーセル３１〜３６は、図７に示すように、指針７の分針７ｂが複数のソーラーセル３１〜３６のうち、順次隣接する４つのソーラーセル３１〜３６に跨って重なる各面積が、ほぼ同じ面積になる渦巻き形状に形成されていれば良い。また、これら複数のソーラーセル３１〜３６は、その円周方向の長さが貫通孔３ａを中心とする半径方向に向けて次第に長くなる形状に形成されていれば良い。このように構成されたソーラーパネル３０においても、第２実施形態と同様の作用効果がある。
【００６８】
（第３実施形態）
次に、図８を参照して、この発明を指針式の腕時計に適用した第３実施形態について説明する。この場合にも、図１〜図４に示された第１実施形態と同一部分に同一符号を付して説明する。
この指針式の腕時計は、図８に示すように、ソーラーパネル４０の複数のソーラーセル４１〜４６が第１実施形態と異なる構成であり、これ以外は第１実施形態と同じ構成になっている。
【００６９】
複数のソーラーセル４１〜４６は、図８に示すように、それぞれ同じ形状で同じ面積になるように、ソーラーパネル４０に対応する円形を６等分した構成になっている。この場合、複数のソーラーセル４１〜４６は、指針７の分針７ｂが、複数のソーラーセル４１〜４６のすべてに跨った状態で、常に重なる渦巻き形状に分割されて形成されている。また、複数のソーラーセル４１〜４６は、分針７ｂが複数のソーラーセル４１〜４６のすべてに跨って重なる各面積が、ほぼ同じ面積になる渦巻き形状に形成されている。
【００７０】
また、複数のソーラーセル４１〜４６は、図８に示すように、それぞれ半径方向の長さ（幅）がほぼ同じ長さで、その曲率半径が、ソーラーパネル４０の貫通孔３ａ側から外周側に向けて次第に大きくなる渦巻き形状に形成されている。さらに、これら複数のソーラーセル４１〜４６は、それぞれソーラーパネル４０の貫通孔３ａの周縁部からソーラーパネル４０の外周縁に亘って３６０度捩れた渦巻き形状に形成されている。
【００７１】
このような腕時計のソーラーパネル４０によれば、その上方を運針する指針７の分針７ｂを、複数のソーラーセル４１〜４６のすべてに跨った状態で、常に重ねることができるので、第１実施形態の場合よりも、分針７ｂによる受光面積の減少を複数のソーラーセル４１〜４６のすべてで分散することができる。
【００７２】
このため、このソーラーパネル４０では、分針７ｂが重なるすべてのソーラーセル４１〜４６の各受光面積を第１実施形態よりも大きくすることができ、これにより分針７ｂが重なるすべてのソーラーセル４１〜４６の出力電流の減少を確実にかつ良好に抑えることができるので、複数のソーラーセル４１〜４６全体の出力電流を第１実施形態よりも大幅に向上させることができる。
【００７３】
この場合にも、複数のソーラーセル４１〜４６は、それぞれ同じ形状で、かつ同じ大きさの面積で均等に分割されていることにより、指針７の分針７ｂが重なるすべてソーラーセル４１〜４６の各受光面積を常にほぼ一定に保つことができ、これにより分針７ｂの運針に伴って複数のソーラーセル４１〜４６全体の出力電流の変動を抑えて、複数のソーラーセル４１〜４６全体の出力電流をほぼ一定に保つことができる。
【００７４】
また、複数のソーラーセル４１〜４６は、指針７の分針７ｂが複数のソーラーセル４１〜４６のすべてに重なる各面積が、ほぼ同じ面積になる渦巻き形状に形成されていることにより、分針７ｂが重なるソーラーセル４１〜４６のすべての受光面積をほぼ同じ面積にすることができ、これにより分針７ｂが重なるすべてのソーラーセル４１〜４６の出力電流をほぼ同じ値にすることができるので、第１実施形態よりも大幅に、複数のソーラーセル４１〜４６全体の出力電流を向上させることができる。
【００７５】
また、複数のソーラーセル４１〜４６は、それぞれ半径方向の長さ（幅）がほぼ同じ長さで、ソーラーパネル４０の貫通孔３ａからソーラーパネル４０の外周側に向けて曲率半径が次第に大きくなり、かつ貫通孔３ａの周縁部からソーラーセル４０の外周縁に亘って３６０度捩れた状態の渦巻き形状に形成されていることにより、ソーラーパネル４０の上方を運針する指針７の分針７ｂを、常に複数のソーラーセル４１〜４６のすべてに跨った状態で、確実にかつ良好に重ねることができる。
【００７６】
なお、上述した第３実施形態では、複数のソーラーセル４１〜４６の半径方向の長さ（幅）が、すべて同じ長さに形成されている場合について述べたが、これに限らず、例えばソーラーパネル４０の複数のソーラーセル４１〜４６は、半径方向の長さ（幅）がソーラーパネル４０の貫通孔３ａからソーラーパネル４０の外周に向けて次第に長くなるように形成しても良い。
【００７７】
この場合にも、複数のソーラーセル４１〜４６は、指針７の分針７ｂが複数のソーラーセル４１〜４６のすべてに跨った状態で常に重なる渦巻き形状に分割されて形成されていれば良い。また、これら複数のソーラーセル４１〜４６は、分針７ｂが複数のソーラーセル４１〜４６のすべてに跨って重なる各面積が、ほぼ同じ面積になる渦巻き形状に形成されていれば良い。このようなソーラーパネル４０においても、第３実施形態とほぼ同様の作用効果がある。
【００７８】
（第４実施形態）
次に、図９を参照して、この発明を指針式の腕時計に適用した第４実施形態について説明する。この場合にも、図１〜図４に示された第１実施形態と同一部分に同一符号を付して説明する。
この指針式の腕時計は、図９に示すように、ソーラーパネル５０の複数のソーラーセル５１〜５６が第１実施形態と異なる構成であり、これ以外は第１実施形態と同じ構成になっている。
【００７９】
複数のソーラーセル５１〜５６は、図９に示すように、それぞれ同じ形状で同じ面積になるように、ソーラーパネル５０に対応する円形を６等分した構成になっている。この場合、複数のソーラーセル５１〜５６は、指針７の分針７ｂが、複数のソーラーセル５１〜５６のすべてに跨った状態で、常に重なる階段状のほぼ渦巻き形状に分割されて形成されている。
【００８０】
また、複数のソーラーセル５１〜５６は、図９に示すように、分針７ｂが複数のソーラーセル５１〜５６のすべてに跨って重なる各面積が、ほぼ同じ面積になる階段状のほぼ渦巻き形状に形成されている。この場合、複数のソーラーセル５１〜５６は、その円周方向の長さがソーラーパネル５０の貫通孔３ａを中心とする半径方向に向けて次第に長くなる形状に形成されている。さらに、複数のソーラーセル５１〜５６は、その半径方向の長さ（幅）がほぼ同じ長さに形成されている。
【００８１】
また、複数のソーラーセル５１〜５６は、図９に示すように、ソーラーパネル５０の外周側に位置する第１領域Ｇ１と、この第１領域Ｇ１よりも内周側に位置する第２領域Ｇ２と、この第２領域Ｇ２よりも内周側に位置する第３領域Ｇ３と、この第３領域Ｇ３よりも内周側に位置する第４領域Ｇ４と、この第４領域Ｇ４よりも内周側に位置する第５領域Ｇ５と、この第５領域Ｇ５よりも内周側に位置する第６領域Ｇ６とを有している。
【００８２】
この場合、複数のソーラーセル５１〜５６は、図９に示すように、第１〜第６の各領域Ｇ１〜Ｇ６が、円周方向に沿って階段状に順次位置をずらした状態で、各連結部Ｇ７によって順次連結された構成になっている。これら第１〜第６の各領域Ｇ１〜Ｇ６は、それぞれ大きさが異なる形状に形成されていると共に、それぞれ反時計回り方向に順次６０度ずつ位置がずれて形成されている。これにより、第１〜第６の各領域Ｇ１〜Ｇ６は、これらを組み合わせた全体の形状が６０度の開き角度の扇状をなすように構成されている。
【００８３】
また、複数のソーラーセル５１〜５６は、図９に示すように、最外周に位置する第１領域Ｇ１を基準にして、第２領域Ｇ２が反時計回り方向に位置する第１領域Ｇ１の内周側に食い込み、第３領域Ｇ３が反時計回り方向に位置する第２領域Ｇ２の内周側に食い込み、第４領域Ｇ４が反時計回り方向に位置する第３領域Ｇ３の内周側に食い込み、第５領域Ｇ５が反時計回り方向に位置する第４領域Ｇ４の内周側に食い込み、第６領域Ｇ６が反時計回り方向に位置する第５領域Ｇ５の内周側に食い込む形状に形成されている。
【００８４】
この場合、複数のソーラーセル５１〜５６は、図９に示すように、第１〜第６の各領域Ｇ１〜Ｇ６を順次階段状に連結する各連結部Ｇ７が、ソーラーパネル５０の貫通孔３ａを中心とする６０度ごとの放射線上に位置するように構成されている。この場合、各連結部Ｇ７は、第１実施形態と同様、その電気抵抗値を下げるために、１ｍｍ以上の接続幅で形成されていることが望ましい。
【００８５】
このような腕時計のソーラーパネル５０によれば、その上方を運針する指針７の分針７ｂを、複数のソーラーセル５１〜５６のすべてに跨った状態で、常に重ねることができるので、第３実施形態と同様、分針７ｂによる受光面積の減少を複数のソーラーセル５１〜５６のすべてで分散することができる。
【００８６】
このため、分針７ｂが重なるすべてのソーラーセル５１〜５６の各受光面積を第１実施形態よりも大きくすることができ、これにより分針７ｂが重なるすべてのソーラーセル５１〜５６の出力電流の減少を確実にかつ良好に抑えることができるので、複数のソーラーセル５１〜５６全体の出力電流を第１実施形態よりも大幅に向上させることができる。
【００８７】
この場合にも、複数のソーラーセル５１〜５６は、それぞれ同じ形状で、かつ同じ大きさの面積で均等に分割されていることにより、指針７の分針７ｂが重なるすべてソーラーセル５１〜５６の各受光面積を常にほぼ一定に保つことができ、これにより分針７ｂの運針に伴って複数のソーラーセル５１〜５６全体の出力電流の変動を抑えて、複数のソーラーセル５１〜５６全体の出力電流をほぼ一定に保つことができる。
【００８８】
また、複数のソーラーセル５１〜５６は、指針７の分針７ｂが複数のソーラーセル５１〜５６のすべてに重なる各面積が、ほぼ同じ面積になる階段状のほぼ渦巻き形状に形成されていることにより、分針７ｂが重なる複数のソーラーセル５１〜５６のすべての受光面積をほぼ同じ面積にすることができ、これにより分針７ｂが重なるすべてのソーラーセル５１〜５６の出力電流をほぼ同じ値にすることができるので、第３実施形態と同様、複数のソーラーセル５１〜５６全体の出力電流を大幅に向上させることができる。
【００８９】
また、複数のソーラーセル５１〜５６は、それぞれ半径方向の長さ（幅）がほぼ同じ長さで、ソーラーパネル５０の貫通孔３ａからソーラーパネル５０の外周側に向けて円周方向の長さが６０度ごとに段階的に長くなり、かつ第１〜第６の各領域Ｇ１〜Ｇ６が３６０度階段状に捩れたほぼ渦巻き形状に形成されていることにより、複数のソーラーセル５１〜５６の上方を運針する指針７を、常に複数のソーラーセル５１〜５６のすべてに跨った状態で、確実にかつ良好に重ねることができる。
【００９０】
なお、上述した第４実施形態では、複数のソーラーセル５１〜５６における第１〜第６の各領域Ｇ１〜Ｇ６の半径方向の長さ（幅）が、すべて同じ長さに形成されている場合について述べたが、これに限らず、例えば図１０に示す変形例のように、ソーラーパネル６０の複数のソーラーセル６１〜６６は、第１〜第６の各領域Ｇ１〜Ｇ６の半径方向の長さ（幅）を、ソーラーパネル６０の貫通孔３ａからソーラーパネル６０の外周側に向けて次第に長くなるように形成しても良い。
【００９１】
この場合にも、複数のソーラーセル６１〜６６は、図１０に示すように、指針７の分針７ｂが、複数のソーラーセル６１〜６６のすべてに跨った状態で、常に重なる階段状のほぼ渦巻き形状に分割されて形成されていれば良い。また、これら複数のソーラーセル６１〜６６は、分針７ｂが複数のソーラーセル６１〜６６のすべてに跨って重なる各面積が、ほぼ同じ面積になる階段状のほぼ渦巻き形状に形成されていれば良い。このようなソーラーパネル６０においても、第４実施形態と同様の作用効果がある。
【００９２】
また、上述した第１〜第４の各実施形態およびその各変形例では、複数のソーラーセルを直列に接続する各接続部２１をソーラーパネルの貫通孔３ａの周縁部に沿って順次設けた場合について述べたが、これに限らず、複数のソーラーセルの外周部に沿って順次設けても良い。
【００９３】
さらに、上述した第１〜第４の各実施形態およびその各変形例では、指針式の腕時計に適用した場合について述べたが、必ずしも腕時計である必要はなく、例えばトラベルウオッチ、目覚まし時計、置き時計、掛け時計などの各種の指針式の時計に適用することができるほか、指針式のメータなどの計器類にも広く適用することができる。
【００９４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９５】
（付記）
請求項１に記載の発明は、ほぼ円形状に形成され、その中央部に設けられた貫通孔に指針軸が挿入され、この指針軸に取り付けられた指針が上方を運針するソーラーパネルにおいて、ほぼ円形状に配列された複数のソーラーセルを有し、これら複数のソーラーセルは、その上方を運針する前記指針が、前記複数のソーラーセルのうち少なくとも２つ以上に、常に重なるほぼ渦巻き形状に分割されて形成されていることを特徴とするソーラーパネルである。
【００９６】
請求項２に記載の発明は、請求項１に記載のソーラーパネルにおいて、前記複数のソーラーセルは、それぞれ同じ形状で、かつ同じ大きさの面積で均等に分割されていることを特徴とするソーラーパネルである。
【００９７】
請求項３に記載の発明は、請求項１または請求項２に記載のソーラーパネルにおいて、前記複数のソーラーセルは、前記指針が前記複数のソーラーセルの２つ以上に跨って重なる各面積が、それぞれほぼ同じ大きさの面積になる形状に形成されていることを特徴とするソーラーパネルである。
【００９８】
請求項４に記載の発明は、請求項１〜請求項３のいずれかに記載のソーラーパネルにおいて、前記複数のソーラーセルは、前記ソーラーパネルの前記貫通孔側から前記ソーラーパネルの外周側に向けて曲率半径が、次第に大きくなる曲線状の渦巻き形状に形成されていることを特徴とするソーラーパネルである。
【００９９】
請求項５に記載の発明は、請求項１〜請求項３のいずれかに記載のソーラーパネルにおいて、前記複数のソーラーセルは、それぞれ複数に分割された各領域が、円周方向と半径方向とに順次位置をずらした階段状の渦巻き形状に形成されていることを特徴とするソーラーパネルである。
【０１００】
請求項６に記載の発明は、請求項１〜請求項５のいずれかに記載のソーラーパネルにおいて、前記複数のソーラーセルは、その円周方向の長さが前記貫通孔を中心とする半径方向に向けて次第に長くなる形状に形成されていることを特徴とするソーラーパネルである。
【０１０１】
請求項７に記載の発明は、請求項１〜請求項６のいずれかに記載のソーラーパネルにおいて、前記複数のソーラーセルは、前記貫通孔の周辺部において、各接続部によって直列に接続されていることを特徴とするソーラーパネルである。
【０１０２】
請求項８に記載の発明は、請求項１〜請求項７のいずれかに記載のソーラーパネルを備えていることを特徴とする時計である。
【符号の説明】
【０１０３】
１  時計モジュール
３、３０、４０、５０、６０  ソーラーパネル
３ａ  貫通孔
４  文字板
５  時計ムーブメント
６  指針軸
７  指針
１１〜１６  ソーラーセル
１７  下部電極
１８  発電層
１９  上部電極
２０  保護膜
２１  接続部
２３〜２８  ソーラーセル
３１〜３６  ソーラーセル
４１〜４６  ソーラーセル
５１〜５６  ソーラーセル
６１〜６６  ソーラーセル
Ｅ１  外周領域
Ｅ２  内周領域
Ｆ１〜Ｆ４  第１〜第４の各領域
Ｇ１〜Ｇ６  第１〜第６の各領域
【図１】
2014169916.tif 000003
【図２】
2014169916.tif 000004
【図３】
2014169916.tif 000005
【図４】
2014169916.tif 000006
【図５】
2014169916.tif 000007
【図６】
2014169916.tif 000008
【図７】
2014169916.tif 000009
【図８】
2014169916.tif 000010
【図９】
2014169916.tif 000011
【図１０】
2014169916.tif 000012